(57)【要約】【課題】中継器の設置場所から離れてデータを確認でき、緊急時も確実に緊急情報を報知できる保安通信システム。【解決手段】中継器２は受信したデータをメモリーカード７を介して中継器２の外部へ移動させ、表示端末４はメモリーカード７により中継器２から移動されたデータを受け取り中継器２から離れた場所で確認可能に提示する。また、保安端末３から緊急情報を受け取った場合は中継器２の報知手段２６による報知、または、第二の無線親機２Ｂにより表示端末４の第二の無線子機４Ａへ送信された緊急情報を表示端末４の表示手段４４で報知することにより、緊急情報が利用者に報知される。上記構成により、利用者の利便性が高く、かつ、緊急情報を確実に利用者に伝達できる。【選択図】　図１
2004013589.tif 000002
【特許請求の範囲】
【請求項１】
データを配信または受信するサーバーと、前記サーバーに第一の通信手段を通じて接続される中継器と、前記中継器に第二の通信手段を通じて接続される保安端末と、前記中継器が送受信するデータを確認可能に提示するデータ提示手段とからなり、前記中継器は、少なくとも前記サーバーから配信されたデータを前記中継器の外部へ移動させるデータ移動手段を持ち、前記データ提示手段は、前記データ移動手段により前記中継器から移動されたデータを受け取り、前記中継器で確認可能に提示する保安通信システム。
【請求項２】
データ移動手段は中継器から脱着自在に接続された記憶手段であり、前記記憶手段は少なくともサーバーから配信されたデータを記憶する請求項１に記載の保安通信システム。
【請求項３】
データ提示手段は、提示するデータを記憶手段を内部に持ち、前記データ提示手段と中継器とが脱着自在に接続される請求項２に記載の保安通信システム。
【請求項４】
データ提示手段はデータを入力する入力手段を持ち、前記入力手段から入力された内容を記憶手段が記憶し、前記記憶手段に記憶された内容のうちサーバーまたは保安端末への送信が必要な内容がある場合に中継器に接続された時点で前記中継器を通じて前記サーバーまたは前記保安端末にデータを送信する請求項２または３に記載の保安通信システム。
【請求項５】
データ提示手段は充電池を持ち、中継器は前記充電池を充電する充電手段を持ち、中継器とデータ提示手段とが接続されている場合に前記データ提示手段の充電池を前記中継器の充電手段を用いて充電する請求項１、３、４のうち少なくとも１項に記載の保安通信システム。
【請求項６】
データ移動手段は無線通信手段であり、少なくとも中継器からデータ提示手段へ中継器が受信したデータを送信する請求項１に記載の保安通信システム。
【請求項７】
データ移動手段は無線通信を含む少なくとも二種類の手段からなり、前記無線通信手段では少なくとも中継器が緊急情報を受信した場合に中継器から表示端末へデータ送信を行なう請求項１また６に記載の保安通信システム。
【請求項８】
中継器は緊急情報を受信した場合に中継器から緊急を報知するためのデータ提示手段以外の報知手段を持つ請求項１ないし７項のうち少なくとも１項に記載の保安通信システム。
【請求項９】
請求項１〜８のいずれか１項記載の保安通信システムの手段の全てもしくは一部としてコンピュータを機能させるためのプログラム。
【発明の詳細な説明】
【０００１】
【発明の属する技術分野】
本発明は、家庭内へ供給されるガスや水道、電気などの使用量や機器の異状の有無を検出しこれらの情報を供給元のサーバーに通信する保安通信システムに関し、特に、保安通信システムの保安情報以外の利用に関するものである。
【０００２】
【従来の技術】
従来この種の保安通信システムは、例えばガスに関する保安通信システムの場合では図６に示すようなものであった。
【０００３】
すなわち、１はサーバー、２は中継器、３はガスメータであり、サーバー１はサーバー制御手段１１、サーバーモデム１２、サーバー入力手段１３、データベース１４から、中継器２は中継器制御手段２１、中継器モデム２２、無線親機２３から、ガスメータ３はガスメータ制御手段３１、無線子機３２、ガスメータ本体３３からそれぞれ構成されている。サーバー１はガス供給事業者Ａに、中継器２とガスメータ３はガス消費者Ｂ宅に設置され、サーバー１と中継器２との間は公衆電話回線５、中継器２とガスメータ５との間は無線通信６でそれぞれ接続されている。
【０００４】
これらの保安通信システムで通信される内容は、例えば、ガス供給事業者Ａが使用契約が切れたガス消費者Ｂのガスメータ３に対しガス栓を閉栓する場合では以下のようになる。
【０００５】
１）ガス供給事業者Ａがサーバー１に対しサーバー入力手段１１からに該当者のガス栓を閉めるように指示する。
【０００６】
２）サーバー制御手段１１が入力された情報に基づいてデータベース１３に該当者の情報を検索し、検索した電話番号、ユーザーＩＤ、パスワードに基づいてサーバー１２モデムから該当するガス消費者Ｂ宅に設置された中継器２に対し公衆電話回線５を通じてＰＰＰ接続し、中継器２に対しガス栓を閉める指示をガスメータ３へ通知するよう指示する電文を送信する。
【０００７】
３）中継器２では中継器制御手段２１が、中継器モデム２２を通じてサーバー１から受信した指示電文に基づき、無線親機２３からガスメータ３へ、ガス栓を閉めるよう指示する電文を無線通信６により送信する。
【０００８】
４）ガスメータ３では、ガスメータ制御手段３１が無線子機３２を通じて中継器２から受信した電文に基づきガス栓を閉める操作を行ない、実際に閉めたことが確認されると無線子機３２を通じて無線通信６により中継器２にガス栓を閉めたことを通知する電文を送信する。
【０００９】
５）中継器２では中継器制御手段２１が、無線親機２３を通じてガスメータ３から受信した電文に基づき、中継器モデム２２からサーバー１へ公衆電話回線５を通じてＰＰＰ接続し、サーバー１へガス栓を閉めたことを通知する電文を送信する。
【００１０】
６）サーバー１では、サーバー制御手段１１が、サーバーモデム１２を通じて受信した電文に基づき、データベース１４に該当者のガス栓を閉めたことを登録するとともに、あらかじめ決められたガス事業者の担当者に操作が終了したことを報知する。
【００１１】
上記のような動作により、サーバー１からガスメータ３への指示が伝達され、ガスメータ３からサーバー１への逆方向の情報の伝達には、逆の手順でガスメータ３の状態などがサーバー１へ通信される。
【００１２】
また、上記のような保安通信システムを用い、中継器に表示器や記憶手段、入力手段を配置することにより情報端末として利用するシステムが提案されており、例えば、サーバーとメータとのデータ通信の履歴を表示したり、中継器からメータの開栓や閉栓を指示したり、サーバーに蓄積された検針データをダウンロードして表示させるといったガスメータに関する端末機器としての機能をもたせることが可能となる。また、サーバーにレシピデータベースや物品販売システム等の機能を持たせることにより、調理情報のダウンロードやオンラインによる物品販売といったサービスの提供も可能であり、ガスメータに関わらず生活全般の情報を送受信できる生活情報端末としても利用することができる。
【００１３】
【発明が解決しようとする課題】
しかしながら、上記従来の保安通信システムでは、中継器に表示器や入力手段を配置するので、中継器が設置された場所でのみサーバーからの情報にアクセスすることが可能である。中継器はガス消費者の宅内に設置されるが、ガスメータへの無線通信が安定して行なえ、かつ、電話線が接続できる場所に固定して設置する必要があり、家庭の一個所に固定して設置されるものとなる。従って、情報にアクセスするたびに中継器が固定された場所に行かねばならず、特に広く生活情報を受信する端末として利用する場合には、例えば、レシピの利用で台所で調理しながら確認する場合など、確認のたびに台所からわざわざ中継器が設置された場所へ出向く必要があるなど使い勝手が悪いという課題があった。
【００１４】
また、例えば、中継器に届いた情報を指定した携帯電話へメール等で転送するサービスも考えられるが、携帯電話の場合は文字数など転送できる情報が制限されている場合があったり、情報の伝達に遅延が生じることも多いという欠点があり、携帯電話を所有してない人には利用できないなど大規模な設備が必要となる。
【００１５】
【課題を解決するための手段】
本発明は上記課題を解決するために、データを配信または受信するサーバーと、前記サーバーに第一の通信手段を通じて接続される中継器と、前記中継器に第二の通信手段を通じて接続される保安端末と、前記中継器が送受信するデータを確認可能に提示するデータ提示手段とからなり、前記中継器は、少なくとも前記サーバーから配信されたデータを前記中継器の外部へ移動させるデータ移動手段を持ち、前記データ提示手段は、前記データ移動手段により前記中継器から移動されたデータを受け取り、前記中継器から離れた場所で確認可能に提示する。
【００１６】
上記発明によれば、中継器が受信するデータを中継器から離れた場所でデータ提示手段により確認できるので、情報の確認のために宅内の一個所に固定された中継器の場所まで行く必要がなく、使いやすい保安通信システムを提供できるといった効果がある。
【００１７】
【発明の実施の形態】
本発明の請求項１にかかる保安通信システムは、データを配信または受信するサーバーと、前記サーバーに第一の通信手段を通じて接続される中継器と、前記中継器に第二の通信手段を通じて接続される保安端末と、前記中継器が送受信するデータを確認可能に提示するデータ提示手段とからなり、前記中継器は、少なくとも前記サーバーから配信されたデータを前記中継器の外部へ移動させるデータ移動手段を持ち、前記データ提示手段は、前記データ移動手段により前記中継器から移動されたデータを受け取り、前記中継器から離れた場所で確認可能に提示する。
【００１８】
そして、中継器が受信するデータを中継器から離れた場所でデータ提示手段により確認できるので、情報の確認のために宅内の一個所に固定された中継器の場所まで行く必要がなく、使いやすい保安通信システムを提供できる。
【００１９】
また、本発明の請求項２にかかる保安通信システムは、データ移動手段は中継器から脱着自在に接続された記憶手段であり、前記記憶手段は少なくともサーバーから配信されたデータを記憶する。
【００２０】
そして、脱着自在に接続された記憶手段を用いるので、簡単に中継器から離れた場所でデータを確認できる。
【００２１】
また、本発明の請求項３にかかる保安通信システムは、データ提示手段が記憶手段を内部に持ち、データ提示手段と中継器とが脱着自在に接続される。
【００２２】
そして、データ提示手段の内部に配置された記憶手段に中継器が受信したデータを記憶するので、データを記憶した記憶手段をデータ提示手段に装着する手間が不要で簡単確実に中継器から離れた場所でデータを確認できる。
【００２３】
また、本発明の請求項４にかかる保安通信システムは、データ提示手段はデータを入力する入力手段を持ち、入力手段から入力された内容を記憶手段が記憶し、記憶手段に記憶された内容のうちサーバーまたは保安端末が必要な内容がある場合に中継器に接続された時点で中継器を通じてサーバーまたは保安端末にデータを送信する。
【００２４】
そして、記憶手段が中継器に接続された時点でサーバーまたは保安端末へ通信する必要のあるデータがある場合に限りサーバーまたは保安端末へデータ送信を行なうので、着脱自在であっても確実かつ安価にデータ送信を行なえる。
【００２５】
また、本発明の請求項５にかかる保安通信システムは、データ提示手段は充電池を持ち、中継器は前記充電池を充電する充電手段を持ち、中継器とデータ提示手段とが接続されている場合にデータ提示手段末の充電池を中継器の充電手段を用いて充電する。
【００２６】
そして、中継器への接続時にデータ提示手段の電源用の充電池を充電するので、データ提示手段用の電源コードが不要で自由に持ち運んで利用できる。
【００２７】
また、本発明の請求項６にかかる保安通信システムは、データ移動手段は無線通信手段であり、少なくとも中継器からデータ提示手段へ中継器が受信したデータを送信する。
【００２８】
そして、中継器から離れたところにあるデータ提示手段に中継器が受信したデータを通信しデータ提示手段が受信して提示するので、必要なデータをリアルタイムに提示できる。
【００２９】
また、本発明の請求項７にかかる保安通信システムは、データ移動手段は無線通信を含む少なくとも二種類の手段からなり、前記無線通信手段では少なくとも中継器が緊急情報を受信した場合に中継器から表示端末へデータ送信を行なう。
【００３０】
そして、緊急連絡が必要な場合にデータ提示手段が中継器から離れた場所にあっても直接緊急情報をデータ提示手段に送信することが可能で、緊急連絡を保安端末利用者にリアルタイムに伝達することができる。
【００３１】
また、本発明の請求項８にかかる保安通信システムは、中継器は緊急情報を受信した場合に中継器設置場所の利用者や関係者等に緊急を報知するためのデータ提示手段以外の緊急報知手段を持つ。
【００３２】
そして、データ提示手段が中継器から離れたところにある場合でも緊急情報発生時に中継器に設置された緊急報知手段により緊急情報発生を報知可能で、緊急連絡を保安端末利用者にリアルタイムに確実に伝達することができる。
【００３３】
本発明の請求項９にかかるプログラムは、請求項１〜８のいずれか１項記載の保安通信システムの手段の全てもしくは一部をコンピュータに実行させるためのプログラムである。そして、プログラムであるので汎用コンピュータやサーバー、携帯情報端末を用いて本発明の保安通信システムの一部あるいは全てを容易に実現することができる。また記録媒体に記録したり通信回線を用いてプログラムを配信したりすることでプログラムの配布やインストール作業が簡単にできる。
【００３４】
【実施例】
以下、本発明の実施例について図面を用いて説明する。
【００３５】
（実施例１）
図１は本発明の実施例１における保安通信システムのブロック図、図２は本システムの中継器とデータ提示手段である表示端末の外観図である。本実施例では保安端末としてガスメータを用いたシステムの場合を示す。図中１はデータを配信または受信するサーバー、２は中継器、３は保安端末であるガスメータ、４はデータ提示手段である表示端末であり、サーバー１はガス供給業者Ａ側に、中継器２、ガスメータ３、表示端末４はガス消費者Ｂ宅に設置される。サーバー１と中継器２はそれぞれの内部に持つサーバーモデム１２、中継器モデム２２を介し第一の通信手段である公衆電話回線５により必要に応じて接続され、また、中継器２とガスメータ３はそれぞれ内部に持つ無線親機２３、無線子機３２を介して第二の通信手段である無線通信６により必要に応じて接続され、中継器２と表示端末４はそれぞれに設けられたメモリカード装着手段２５、４２にデータ移動手段でありかつ記憶手段であるメモリーカード７を装着し、メモリカード７を介してデータを交換することにより、相互にデータの移動を行なっている。
【００３６】
サーバー１はサーバー制御手段１１、サーバーモデム１２、入力手段１３、データベース１４からなり、サーバー制御手段１１は入力手段１３における入力内容やサーバーモデム１２で受信した中継器２、ガスメータ３、表示器４からの要求に従い、必要な情報をデータベース１４から取り出してサーバーモデム１２から中継器２に出力したり、入力手段１３における入力内容やサーバーモデム１２で受信した中継器２、ガスメータ３、表示器４からの情報をデータベース１４に登録するといった処理を行なう。
【００３７】
中継器２は、中継器制御手段２１、中継器モデム２２、無線親機２３、中継器記憶手段２４、中継器メモリーカード装着手段２５、報知手段２６とからなり、中継器制御手段２１は中継器モデム２２、無線親機２３で受信したデータを必要に応じて中継器モデム２２、無線親機２３からサーバー１やガスメータ３へ情報を送信したり、中継器記憶手段２４へ記憶させたり、報知手段２６から警報を発するといった操作を行なう。
【００３８】
また、中継器メモリーカード装着手段２５にメモリーカード７が装着されると、中継器制御手段２１がメモリーカード７が装着されたことを検出し、検出した時点でメモリカード７に記憶された内容を検索し、サーバー１またはガスメータ３へ送信が必要なデータが存在した場合にそれぞれ送信操作を行ない、さらに、中継器記憶手段２４に記憶された内容をメモリーカード７へ書き込む操作を行なう。メモリーカード７に記憶されたデータにはサーバー１またはガスメータ３へ送信が必要なデータの場合に送信先を記憶しており、中継器制御手段２１は送信先の内容に基づいて送信先を判定し、情報の送信を行なっている。報知手段２６はスピーカーであり、ガスメータ３からガス漏れなど緊急情報を受信すると、受信した内容に応じて警報を音で報知している。
【００３９】
なお、中継器２は公衆電話回線５に接続するための電話線の引き回しが必須であり、また、ガスメータ３と無線通信を確実に行なうために無線通信が十分に可能となる場所に固定して設置することが必要となっており、ガス消費者宅の建物の決まった場所に固定して配置されている。
【００４０】
図２の外観図に示すように、中継器２には電話線４１が接続され、無線親機２３が無線子機３２に無線通信の電波を送信するためのアンテナ２７が配置されている。さらに、中継器のケースには新しいデータが中継器記憶手段にある事を示すＬＥＤによる新着データインジケータ２４１と、メモリーカードがアクセス中であることを示すＬＥＤによるアクセスインジケータ２５１が配置されており、新着データインジケータ２４１によりガス消費者に新着データを受信していることを報知し、アクセスインジケータ２５１によりメモリーカードへのアクセス中であることを表示して、その間メモリーカードを取り出してデータを破壊しないように注意を促している。
【００４１】
ガスメータ３はガスメータ制御手段３１、無線子機３２、メータ本体３３とからなり、無線子機３２が中継器２から受信した電文に基づきガスメータ制御手段３１がガスメータ本体３３の制御を行なう。また、ガスメータ制御手段３１がガスメータ本体３３からの情報によりガス漏れ等の異常を検出した場合には無線子機３１から中継器２を経由してサーバー１へ検出した異常を通報するとともに、検出した異常状態に応じて閉栓処理等の処理をガスメータ本体３３に指示する。
【００４２】
表示端末４は、表示端末制御手段４１、表示端末メモリーカード装着手段４２、表示端末記憶手段４３、表示手段４４、音声出力手段４５、入力手段４６からなり、表示端末制御手段４１はメモリーカード７が表示端末メモリーカード装着手段４２に装着されると装着されたメモリカード７の内容を検索し、必要な情報があれば表示端末記憶手段４３にコピーして記憶させる。そうして記憶した表示端末記憶手段４３の情報は表示手段４４に表示され、入力手段４６の操作により様々な情報にアクセス可能となって情報に応じて表示手段４４に画像が表示され音声出力手段４５から音声が出力される。
【００４３】
表示端末記憶手段４３に記憶された情報の中には、入力手段４６により入力された情報によりサーバー１またはガスメータ３へ通信するように設定されているものが有り、この情報を操作した結果サーバー１またはガスメータ３に通信が必要となった場合は通信される情報がメモリーカード７にコピーされ、情報がコピーされたメモリーカード７が中継器２に装着された際に、サーバー１またはガスメータ３へ情報が送信される。
【００４４】
図２の外観図に示すように表示端末４は通常は中継器の近くに設置されたケースホルダ４７に保持されてメモリーカードによるデータ交換が容易にできるようになっている。また、表示端末メモリカード装着手段４２近傍にはメモリーカードがアクセス中であることを示すＬＥＤによるアクセスインジケータ４２１が配置されており、アクセスインジケータ４２１によりメモリーカードへのアクセス中であることを表示して、その間メモリーカードを取り出してデータを破壊しないように注意を促している。
【００４５】
これらの保安通信システムで通信される内容は、例えばガス供給事業者Ａが使用契約が切れたガス消費者Ｂのガスメータ３に対しガス栓を閉栓する場合では以下のようになる。
【００４６】
１）ガス供給事業者Ａがサーバー１に対しサーバー入力手段１１からに該当者のガス栓を閉めるように指示する。
【００４７】
２）サーバー制御手段１１が入力された情報に基づいてデータベース１３に該当者の情報を検索し、検索した電話番号、ユーザーＩＤ、パスワードに基づいてサーバー１２モデムから該当するガス消費者Ｂ宅に設置された中継器２に対し公衆電話回線５を通じてＰＰＰ接続し、中継器２に対しガス栓を閉める指示をガスメータ３へ通知するよう指示する電文を送信する。
【００４８】
３）中継器２では中継器制御手段２１が、中継器モデム２２を通じてサーバー１から受信した指示電文に基づき、無線親機２３からガスメータ３へ、ガス栓を閉めるよう指示する電文を無線通信６により送信する。一方、サーバー１から受信した電文を受信した日時情報とともに中継器記憶手段２４に記憶させ、表示端末４で確認可能なデータとして保存する。
【００４９】
４）ガスメータ３では、ガスメータ制御手段３１が無線子機３２を通じて中継器２から受信した電文に基づきガス栓を閉める操作を行ない、実際に閉めたことが確認されると無線子機３２を通じて無線通信６により中継器２にガス栓を閉めたことを通知する電文を送信する。
【００５０】
５）中継器２では中継器制御手段２１が、無線親機２３を通じてガスメータ３から受信した電文に基づき、中継器モデム２２からサーバー１へ公衆電話回線５を通じてＰＰＰ接続し、サーバー１へガス栓を閉めたことを通知する電文を送信する。一方、ガスメータ３から受信した電文を受信した日時情報とともに中継器記憶手段２４に記憶させ、表示端末４で確認可能なデータとして保存する。
【００５１】
６）サーバー１では、サーバー制御手段１１が、サーバーモデム１２を通じて受信した電文に基づき、データベース１４に該当者のガス栓を閉めたことを登録するとともに、あらかじめ決められたガス事業者の担当者に操作が終了したことを報知する。
【００５２】
上記のような動作により、サーバー１からガスメータ３への指示が伝達され、ガスメータ３からサーバー１への逆方向の情報の伝達には、逆の手順でガスメータ３の状態などがサーバー１へ通信される。また、中継器記憶手段２４に記憶された中継器２が送受信した内容は、メモリーカード７が中継器メモリカード装着手段４５に装着された時点でメモリーカード７に記憶され、このメモリーカード７を表示端末メモリーカード装着手段４２に装着すると、表示端末記憶手段４３にその内容が記憶されて、通信内容が表示手段４４から画像として、あるいは、スピーカ４５から音声として出力される。
【００５３】
中継器２がサーバー１から新着データを受信した場合、新着データインジケータ２４１が点灯し、ガス消費者Ａ側で新たなデータの存在を知ることできる。このときガス消費者がメモリーカード７をメモリーカード装着手段２５に装着して新しいデータをメモリーカード７に記憶させ、新着データを記憶させたメモリーカード７を表示端末４のメモリーカード装着手段４２に装着することにより新着データが表示端末記憶手段４３に記憶されて、ガス消費者が入力手段４６を操作することにより新着データに応じた表示や音声が表示器４４やスピーカ４５から出力され、新着データを確認できる。
【００５４】
サーバー１から配信され表示端末４で確認できるガス情報以外のサービスとしては、端末から商品を購入できる買い物情報、いろんな種類の調理メニューを供給する調理レシピ情報、ガス消費者のガス利用方法を案内したりガス料金ガス使用量を表示するガス利用案内があり、データの種類別に設けられたアイコンが表示手段４４に表示されて、入力手段４６の移動キー４６１によりカーソルを目的のアイコンに移動させて、選択キー４６２により目的のアイコンを選択してアイコンに対応づけられた次の画面を表示させて必要な情報へ到達できるようにしている。
【００５５】
また、戻るキー４６３により一つ前の画面に戻ることもできる。買い物情報で、購入を希望する商品がある場合、購入を申し込むと、購入情報が表示端末記憶手段４３に記憶され、メモリカード７が表示端末メモリカード装着手段４２に装着された場合にメモリーカード７に記憶され、メモリーカード７を中継器メモリカード装着手段２５に装着した時点で、中継器記憶手段２４にコピーされて、サーバー１へ送信される。サーバー１からは購入情報を受信したこと、および購入金額、納期などの情報を中継器２へ送信し、新着情報と同様にメモリーカード７を利用して表示端末４にデータとして記憶させ、表示手段４４にサーバー１が送信した情報を表示する。
【００５６】
また、ガスメータ３がガス漏れ等の異常を検出した場合は、ガスメータ制御手段３１が無線子機３２からガス漏れを示す緊急情報を発信し、中継器２では無線親機２３が緊急情報を受信して、中継器制御手段２１が報知手段２６から警報を報知するとともに、中継器記憶手段２４に記憶させ、メモリーカード７が中継器メモリーカード装着手段２５に装着された時にメモリーカード７に記憶させ、この情報が記憶されたメモリーカードを表示端末メモリーカード装着手段４２に装着することにより、緊急情報が表示端末記憶手段に記憶されて表示手段４４から表示されて、ガス消費者が緊急情報の詳しい内容を確認できる。
【００５７】
上記構成により、以下のような効果がある。すなわち、ガス供給に対する保安通信システムにおいて、サーバー１とガスメータ３の間の中継器２にメモリカード装着手段２５を設けることにより、サーバ１との送受信情報、ガスメータ３との送受新情報をメモリーカード３を介して設置場所が固定された中継器２から分離することが可能で、表示端末４にメモリーカード７の内容を読み込ませることにより中継器２の場所に拘束されることなく操作する人が操作したい場所でサーバー１から送信される情報へアクセスできる。これにより、たとえばサーバー１からレシピ情報をダウンロードしデータの内容を確認しながら調理を行なう場合には、確認のたびに中継器２の設置された場所へ行く必要がなく、作業場所へ表示端末を持っていき手元で必要な時に操作して表示させることが可能で、保安情報システムを保安情報以外のデータの利用時に使い勝手の良いシステムを提供できる。
【００５８】
また、メモリーカードを装着した時点でメモリーカード内のデータを検索し、新着データなど他の機器に送信が必要な情報があった場合にメモリカードが装着された機器の記憶手段とデータの交換を行なうので、新しいデータの交換が簡単に行なえる。
【００５９】
また、中継器２にはスピーカーによる報知手段２６が設置されており、ガスメータ３からガス使用状況が異常であるという情報を受信した場合や、サーバー１から重要情報が届いた場合などに、報知手段２６から音声により中継器設置場所で警報を発する構成となっている。表示端末４を利用している最中も中継器２を通じてサーバー１とガスメータ３は相互に通信可能であり、表示端末４を利用している間にガスの使用状況に異常が発生したり、サーバーから重要情報を受信しても、受信した内容に基づいて報知手段によりガス使用者に報知し、また、ガスメータの情報はサーバーへ、サーバーの情報はガスメータへそれぞれ通信されるシステムを実現でき、利便性を安全性を両立できるシステムを提供できる。
【００６０】
なお、本実施例の保安通信システムでは、第一の通信手段として公衆電話回線を用いたＰＰＰ接続を、第二の通信手段として無線通信を利用しているが、これに限らず、例えば第一の通信手段として、ガス供給事業者と複数のガス消費者との間でイントラネットを構成して接続する構成や、直接ガス供給事業者に接続するのではなくプロバイダーへ接続してインターネット網を経由する通信経路でもよいし、ＣＡＴＶ網など他の目的で構築されたネットワークを利用した接続形態であっても良い。また、後者では、有線接続でもよく、これら通信携帯を限定することを発明の主眼とするものではない。
【００６１】
また、本実施例の保安通信システムでは緊急情報を報知する報知手段として中継器にスピーカを設けているが、ＬＥＤの点滅による表示や、ＬＣＤなどで内容を確認可能に表示する方法でも良い。
【００６２】
（実施例２）
図３は本実施例の保安通信システムのブロック図、図４は同装置の中継器２と表示端末４の外観図である。本実施例の実施例１との相違点は、中継器２に表示端末４を装着する表示手段装着手段２Ａを持ち、表示手段装着手段２Ａに表示手段４を装着すると中継器２と表示端末４のコネクタ２８、４８とが電気的に導通して、中継器記憶手段２４と表示端末記憶手段４３との間でデータ交換を行なう点、および、表示端末４に充電池４９を配置するとともに、中継器２に充電手段２９を配置し、表示端末４を中継器２の表示端末装着手段２Ａに装着することにより、表示端末２の充電池２９の充電を行なう点にある。
【００６３】
実施例１の保安通信システムでは、メモリーカードといった記憶媒体を介して中継器２と表示端末４とのデータの交換を行なっていたが、利用者が意識してデータの交換が必要で、作業もわずらわしく、またメモリーカードの保管にも気を配る必要があるなど多少使い勝手の悪い面もあった。また、表示端末４の電源については、持ち運びを可能とするために電池を利用することが一般的であるが、充電池の場合は充電装置が別途必要であり、また乾電池を使用する場合は電池の寿命を常に気を付けておく必要があり、入れ替えも面倒であった。実施例２の保安通信システムは上記課題を解決するために、表示端末４本体を中継器２に装着する表示端末装着手段２Ａに装着して中継器記憶手段２４と表示端末記憶手段４３との間でデータ移動を行ない、さらに、表示端末に充電池を配置するとともに、中継器に充電手段を配置し、表示端末を中継器に装着することにより、表示端末の充電池の充電を行なっている。
【００６４】
図３において、２Ａは中継器２に設置された表示端末装着手段、２９は中継器２に設置された充電手段、４９は表示端末４に設置された充電池である。通常、表示端末４は中継器２の表示端末装着手段２Ａに保持された状態で保管され、その間にサーバー１またはガスメータ３との間のデータの送受信を行ない必要な情報を表示端末記憶手段４６に記憶させる一方、中継器２の充電手段２９を用いて表示端末４の充電池４９を充電している。このような構成により、メモリーカードのような記憶媒体を介さないので利用者が意識することなく表示端末４と中継器２とでデータの交換が行なえ、表示端末４を表示端末装着手段２Ａから取り出しても電源を気にすることなく持ち運んで使用することが可能となっている。従って、不要な時は中継器２に装着しておき、その間にデータ交換と充電を行ない、必要な時は中継器２の表示端末装着手段２７から取り出した時には常に最新のデータにアクセス可能となり、電源も十分に充電されて長時間連続して利用できるという効果がある。
【００６５】
なお、本実施例の保安通信システムでは、中継器２と表示端末４とのデータ交換においてコネクタ２８、４９を通じて電気的に導通させてデータ交換を行なっているが、例えばＩｒＤＡによる赤外線通信など、電気的な導通が不要な方法を用いてももちろん良い。
【００６６】
また、同様に充電手段による充電池への電力供給についても、コネクタ２９、４８を経て直接電力を供給する方法に限らず、例えば、中継器と表示端末との間でトランスを形成し、非接触で電力を供給する方法でもよい。
【００６７】
（実施例３）
図５は本実施例の保安通信システムのブロック図である。本実施例の実施例２との相違点は、中継器２に第二の無線親機２Ｂ、表示端末４に第二の無線子機４Ａをを持ち、中継器２と表示端末４との間で無線通信を行なうことにより、表示端末４が中継器２の表示端末装着手段２Ａに装着されてない場合であってもデータ交換が可能となっている点にある。
【００６８】
実施例１や実施例２のシステムでは、ガスメータ３がガス使用状況の異常を検出し緊急情報を発信した場合では、中継器２が緊急情報を受信しても報知手段で報知することはできるが、表示端末４にその情報を報知し警告を発することはできない。しかしながら、表示端末４の利用者がその時ガス機器を使用している場合もあるため、表示端末４にガス使用状態の異常をリアルタイムに報知することはガス使用の安全を図る上で効果がある。そこで本実施例では、中継器２に第二の無線親機２Ｂ、表示端末４に第二の無線子機４Ａとを持ち中継器２と表示端末４との間で無線通信を行なうことにより、中継器２から離れた場所で表示端末４を操作している場合でも表示端末４ではリアルタイムで中継器２からの情報を受信でき、ガス使用状態に異常が発生した場合でもすぐにガス消費者に警告を発することができる。
【００６９】
なお、本実施例では通信内容のなかに通常の通信と緊急の通信とを判別するための情報が付与され、緊急の通信を中継器が受信した場合にのみ第二の無線親機２Ｂと第二の無線子機４Ａによる無線通信を行ない、通常のデータの交換に関しては表示端末装着手段２９に装着した時にコネクタ２８、４８を通じてのみ行なう構成としている。なお、通常の通信と緊急の通信との区別は、あらかじめガスメータが情報のテーブルを持っており、ある事象が発生した場合にテーブルを参照し、通常の情報か緊急の情報かを判断して通信内容に付与している。たとえば、ガス漏れが発生し、これをガスメータが検出してガス漏れ事象が発生した場合に、これを緊急の情報として中継器とサーバーへ発信する。これにより、第二の無線親機２Ｂと第二の無線子機４Ａによる無線通信では、あらかじめ決められた状態の発生を伝達するだけなので小さなサイズのデータのやり取りだけですみ、表示手段に表示させるデータの通信などサイズの大きなデータのやり取りが不要になるため、通信速度の遅い通信手段を用いることができ、通信手段の選択の幅を広げることができる。
【００７０】
なお、本実施例の保安通信システムでは緊急情報の発生時にのみ第二の無線親機２Ｂと第二の無線子機４Ａによる無線通信を行ない、通常のデータの交換に関しては表示端末装着手段２９に装着した時にコネクタ２８、４８を通じてのみ行なう構成としているが、通信速度の高速な無線通信を用いることにより、すべての情報をリアルタイムに中継器２と表示端末４とで交換する構成でももちろんよい。
【００７１】
また、ガスメータ３との通信を行なう無線親機２３と表示端末４との通信を行なう第二の無線親機２Ｂは同一の無線機を用いても良い。中継器制御手段２１が通信の相手を指定して無線親機に伝達し、無線親機はガスメータの無線子機と表示端末の無線子機とでＩＤを変えて通信し、無線子機側で自分のＩＤと同一の場合に通信を行なうといった方法により、一つの無線親機で異なる複数の無線子機のなかから指定した無線子機と通信することは容易に実現可能である。
【００７２】
さらに、第１、第２、第３の通信手段は、実施例で述べた電話、無線通信、ＩｒＤＡなどが有るが、それ以外の方法、たとえば、光ファイバーによる通信やＥｔｈｅｒｎｅｔによる通信を用いてもよい。
【００７３】
なお、データ移動手段として本実施例ではメモリカードで説明したが、例えば、ＳＤメモリーカード、コンパクトフラッシュカード、スマートメディアなどの小型で携帯に便利な記憶メディアである。しかしこれに限るものでなく、機器と脱着自在に接続可能であってデータの書き込みと読み込みができるものであれば大きさに関わりなくいかなるものでもあってもよい。
【００７４】
また、上記実施例１、実施例２、実施例３ではガスに関する保安通信システムの例を示しているが、電気、水道、熱源など、ガス以外の保安端末を用いた保安通信システムに適応することができ、効果は何ら変わることがない。さらに、侵入検知器などの防犯機器や、火災報知器やガス漏れ警報機といった防災機器などに適用しても同様な効果を得ることができる。
【００７５】
【発明の効果】
以上の実施例で説明したように本発明に示す保安通信システムは、中継器が受信するデータを中継器から離れた場所でデータ提示手段により確認できるので、情報の確認のために宅内の一個所に固定された中継器の場所まで行く必要がない。また、中継器からは離れた場所でデータ提示手段を利用している場合であっても、例えば保安端末が異常を検出した場合に発する緊急情報を中継器が受信すると、無線により緊急情報をデータ提示手段に送信して表示させたり、中継器に設置された警報手段で報知するので、使い勝手が良く、かつ、緊急情報を確実に伝達できる保安通信システムを提供できる。
【図面の簡単な説明】
【図１】本発明の実施例１における保安通信システムのブロック図
【図２】同装置の中継器とデータ提示手段の外観図
【図３】本発明の実施例２における保安通信システムのブロック図
【図４】同装置の中継器とデータ提示手段の外観図
【図５】本発明の実施例３における保安通信システムのブロック図
【図６】従来の保安通信システムのブロック図
【符号の説明】
１　サーバー
２　中継器
３　ガスメータ（保安端末）
４　表示端末（データ提示手段）
５　公衆電話回線（第一の通信手段）
６　無線通信（第二の通信手段）
７　メモリーカード（データ移動手段、記憶手段）
２６　報知手段
２９　充電手段
２Ｂ　第二の無線親機（データ移動手段、無線通信手段）
４６　入力手段
４９　充電池
４Ａ　第二の無線子機（データ移動手段、無線通信手段）
【図１】
2004013589.tif 000003
【図２】
2004013589.tif 000004
【図３】
2004013589.tif 000005
【図４】
2004013589.tif 000006
【図５】
2004013589.tif 000007
【図６】
2004013589.tif 000008